【手続補正書】
【提出日】平成20年7月15日(2008.7.15)
【手続補正１】
【補正対象書類名】特許請求の範囲
【補正対象項目名】全文
【補正方法】変更
【補正の内容】
【特許請求の範囲】
【請求項１】
他の無線通信装置とともに無線通信システムを構成する無線通信装置であって、
前記他の無線通信装置を示す情報及び無線設定情報を少なくとも１つ以上記憶部に記憶する記憶手段と、
前記記憶手段により前記記憶部に記憶された他の無線通信装置を示す情報を、選択可能に表示する表示手段と、
前記無線設定情報に従ってビーコン信号を検出する検出手段と、
前記検出手段の検出結果に基づいて、前記表示手段によって表示された情報に対応する前記他の無線通信装置が無線ネットワーク上に存在するかどうかを判断する判断手段とを有することを特徴とする無線通信装置。
【請求項２】
前記表示手段は、前記検出手段によって前記ビーコン信号が検出されると、接続を指示する接続ボタンを表示することを特徴とする請求項１に記載の無線通信装置。
【請求項３】
前記他の無線通信装置との無線接続要求を受理する受理手段と、
前記受理手段によって受理された無線接続要求に応じて、前記他の無線通信装置と無線接続処理を行う無線接続手段とを有することを特徴とする請求項１または２に記載の無線通信装置。
【請求項４】
前記受理手段は、前記接続ボタンがユーザにより押下されることによって前記無線接続要求を受理することを特徴とする請求項３に記載の無線通信装置。
【請求項５】
前記検出手段によって検出されたビーコン信号から信号品質を計算する計算手段と、
前記計算手段による計算の結果に応じて、前記他の無線通信装置との無線通信の信号品質を段階的に表示する信号品質表示手段とを有することを特徴とする請求項１〜４の何れか１項に記載の無線通信装置。
【請求項６】
前記計算手段による計算の結果、前記信号品質が所定の基準より低い場合は無線接続処理を中断する中断手段を有し、
前記表示手段は、前記中断手段で前記無線接続処理を中断した場合は、無線通信が不可であることを表示することを特徴とする請求項５に記載の無線通信装置。
【請求項７】
前記他の無線通信装置に送信するための画像データを生成する撮像手段を有することを特徴とする請求項１〜５の何れか１項に記載の無線通信装置。
【請求項８】
前記表示手段の表示を参照しながら通信を開始しようとする相手としての前記他の無線通信装置を選択する選択手段を有し、
前記検出手段は、前記選択手段で選択したことに応じて検出動作を開始することを特徴とする請求項１〜６の何れか１項に記載の無線通信装置。
【請求項９】
前記表示手段の表示を参照しながら通信を開始しようとする相手としての前記他の無線通信装置を選択する選択手段を有し、
前記検出手段は、前記選択手段で選択された他の無線通信装置に対応するビーコン信号の検出を行うことを特徴とする請求項１〜６の何れか１項に記載の無線通信装置。
【請求項１０】
他の無線通信装置とともに無線通信システムを構成する無線通信装置であって、
前記他の無線通信装置に関する無線設定情報を少なくとも１つ以上記憶部に記憶する無線設定情報記憶手段と、
前記無線設定情報記憶手段により前記記憶部に記憶された無線設定情報に基づいて、ビーコン信号を送信する送信手段とを有することを特徴とする無線通信装置。
【請求項１１】
前記他の無線通信装置から送信される画像データを印刷する印刷手段を有することを特徴とする請求項１０に記載の無線通信装置。
【請求項１２】
請求項１〜９の何れか１項に記載の無線通信装置と、請求項１０または１１に記載の無線通信装置とを有することを特徴とする無線通信システム。
【請求項１３】
他の無線通信装置とともに無線通信システムを構成する無線通信装置における無線通信方法であって、
前記他の無線通信装置を示す情報及び無線設定情報を少なくとも１つ以上記憶部に記憶する記憶工程と、
前記記憶工程により前記記憶部に記憶された他の無線通信装置を示す情報を、選択可能に表示する表示工程と、
前記無線設定情報に従ってビーコン信号を検出する検出工程と、
前記検出工程の検出結果に基づいて、前記表示工程によって表示された情報に対応する前記他の無線通信装置が無線ネットワーク上に存在するかどうかを判断する判断工程とを有することを特徴とする無線通信方法。
【請求項１４】
他の無線通信装置とともに無線通信システムを構成する無線通信装置における無線通信方法であって、
前記他の無線通信装置に関する無線設定情報を少なくとも１つ以上記憶部に記憶する無線設定情報記憶工程と、
前記無線設定情報記憶工程により前記記憶部に記憶された無線設定情報に基づいて、ビーコン信号を送信する送信工程とを有することを特徴とする無線通信方法。
【請求項１５】
他の無線通信装置とともに無線通信システムを構成する無線通信装置における無線通信方法の各工程をコンピュータに実行させるプログラムであって、
前記他の無線通信装置を示す情報及び無線設定情報を少なくとも１つ以上記憶部に記憶する記憶工程と、
前記記憶工程により前記記憶部に記憶された他の無線通信装置を示す情報を、選択可能に表示する表示工程と、
前記無線設定情報に従ってビーコン信号を検出する検出工程と、
前記検出工程の検出結果に基づいて、前記表示工程によって表示された情報に対応する前記他の無線通信装置が無線ネットワーク上に存在するかどうかを判断する判断工程とをコンピュータに実行させることを特徴とするコンピュータプログラム。
【請求項１６】
他の無線通信装置とともに無線通信システムを構成する無線通信装置における無線通信方法の各工程をコンピュータに実行させるプログラムであって、
前記他の無線通信装置に関する無線設定情報を少なくとも１つ以上記憶部に記憶する無線設定情報記憶工程と、
前記無線設定情報記憶工程により前記記憶部に記憶された無線設定情報に基づいて、ビーコン信号を送信する送信工程とをコンピュータに実行させることを特徴とするコンピュータプログラム。
【請求項１７】
請求項１５または１６に記載のコンピュータプログラムを記録したことを特徴とするコンピュータ読み取り可能な記録媒体。
【手続補正２】
【補正対象書類名】明細書
【補正対象項目名】００１９
【補正方法】変更
【補正の内容】
【００１９】
本発明のコンピュータプログラムは、他の無線通信装置とともに無線通信システムを構成する無線通信装置における無線通信方法の各工程をコンピュータに実行させるプログラムであって、前記他の無線通信装置を示す情報及び無線設定情報を少なくとも１つ以上記憶部に記憶する記憶工程と、前記記憶工程により前記記憶部に記憶された他の無線通信装置を示す情報を、選択可能に表示する表示工程と、前記無線設定情報に従ってビーコン信号を検出する検出工程と、前記検出工程の検出結果に基づいて、前記表示工程によって表示された情報に対応する前記他の無線通信装置が無線ネットワーク上に存在するかどうかを判断する判断工程とをコンピュータに実行させることを特徴とする。
本発明のコンピュータプログラムの他の特徴とするところは、他の無線通信装置とともに無線通信システムを構成する無線通信装置における無線通信方法の各工程をコンピュータに実行させるプログラムであって、前記他の無線通信装置に関する無線設定情報を少なくとも１つ以上記憶部に記憶する無線設定情報記憶工程と、前記無線設定情報記憶工程により前記記憶部に記憶された無線設定情報に基づいて、ビーコン信号を送信する送信工程とをコンピュータに実行させることを特徴とする。